(57)【特許請求の範囲】
【請求項１】
外周面を有し、外周面に沿った全周にわたって電線収納凹部が形成され、埋込孔に設置される基台と；
基台に取り付けられる灯体と；
基台の外周面の電線収納凹部に設けられ、電線収納凹部に沿った方向に電線が接続される電線接続端子台と；
を具備していることを特徴とする標識灯。
【請求項２】
電線接続端子台に接続される電線を電線収納凹部に沿って保持する電線保持具を具備していることを特徴とする請求項１記載の標識灯。
【発明の詳細な説明】
【０００１】
【発明の属する技術分野】
本発明は、埋込形の標識灯に関する。
【０００２】
【従来の技術】
従来、例えば、特開平６−１０８４２７号公報に記載されているように、空港の滑走路や誘導路などの路面に埋め込み設置される埋込形の標識灯が知られている。
【０００３】
この種の標識灯は、路面に埋め込まれる略円筒状で有底の基台、およびこの基台に着脱可能に被着して取り付けられる灯体を備えている。この灯体には、ランプ、このランプから出射される光線を反射する反射鏡、フィルタ、およびレンズとなどを備えた光学系などが収納されている。
【０００４】
また、基台の外周面は平面状に形成され、この基台の外周面に電力供給用の電線を接続する電線接続端子台が配設されている。
【０００５】
そして、標識灯を設置する場合、路面の標識灯の設置場所に基台の直径より内径の大きいボーリング孔をあけ、また、標識灯への電力供給のために、滑走路や誘導路の外側に設置されるトランスの設置位置から標識灯の設置位置つまりボーリング孔までの路面に切り込みを入れて溝を形成し、この溝内に電力供給用の電線を配線し、この電線をボーリング孔に引き込む。ボーリング孔に引き込んだ電線を基台の外周面に配設された電線接続端子台に接続し、基台をボーリング孔内に設置し、それら基台の外周面とボーリング孔の内周面との間隙に樹脂やコンクリートなどの充填材を充填して基台を路面に埋め込み、この基台に灯体を取り付けている。
【０００６】
また、基台の外周面に配設される電線接続端子台は、ボーリング孔に引き込まれる電線の引込方向に対応して、基台の外径方向から電線を接続する構造が採られている。
【０００７】
【発明が解決しようとする課題】
ところで、ボーリング孔における電線の引き込み位置と、ボーリング孔に設置される基台の向きに応じた電線接続端子台の位置とは、滑走路や誘導路の外側に設置されるトランスの設置位置と標識灯の設置位置との関係で一致しない場合がある。このような場合、電線を、基台の外周面に沿わせ、基台の外周面とボーリング孔の内周面との間隙に沿って配置することになる。
【０００８】
しかし、基台の電線接続端子台は、ボーリング孔に引き込まれる電線の引込方向に対応して、基台の外径方向から電線を接続する構造を採っているので、電線を基台の外周面に沿わせても、電線の電線接続端子台に接続された部分が基台の外径方向に大きく突出する。そのため、電線の突出部分を含めてボーリング孔に収納可能とするようにボーリング孔の内径を大きくしなければならないが、基台の外周面とボーリング孔の内周面との間隙が大きくなると、その間隙に充填する充填材の使用量が増大する問題を有している。
【０００９】
また、基台をボーリング孔に設置する際、電線を基台の外周面に沿うように手で押えながら基台の外周面とボーリング孔の内周面との隙間に配置しなければならず、設置作業が煩雑になる問題を有している。
【００１０】
また、基台の外周面が平面であるため、基台の外周面とボーリング孔の内周面との間隙に位置する電線で間隙を閉塞し、この間隙に充填する充填材が基台の底部側まで十分に充填されず、設置強度が低下する問題を有している。
【００１１】
本発明は、このような点に鑑みなされたもので、基台の外周面に沿って電線を配置する場合に対応できる標識灯を提供することを目的とする。
【００１２】
【課題を解決するための手段】
請求項１記載の標識灯は、外周面を有し、外周面に沿った全周にわたって電線収納凹部が形成され、埋込孔に設置される基台と；基台に取り付けられる灯体と；基台の外周面の電線収納凹部に設けられ、電線収納凹部に沿った方向に電線が接続される電線接続端子台と；を具備しているものである。
【００１３】
そして、基台の外周面の電線収納凹部に設けた電線接続端子台に、電線収納凹部に沿った方向に電線を接続することで、電線を電線収納凹部に収納できるとともに、基台の外周面からの電線の突出を低減または無くすことができる。そのため、基台を埋込孔に設置して隙間に充填材を充填する設置時において、基台を電線とともに埋込孔に設置する設置作業を容易に可能となるとともに、埋込孔の内径を小さくして充填材の充填量を低減可能となり、電線で隙間が閉塞されることなく基台の底部まで充填材を十分に充填できる。
【００１４】
請求項２記載の標識灯は、請求項１記載の標識灯において、電線接続端子台に接続される電線を電線収納凹部に沿って保持する電線保持具を具備しているものである。
【００１５】
そして、電線収納凹部の電線接続端子台に接続される電線を、電線保持具により電線収納凹部に沿って保持する。そのため、基台を埋込孔に設置する設置時において、基台を電線とともに埋込孔に設置する設置作業を容易に可能となる。
【００１６】
【発明の実施の形態】
以下、本発明の一実施の形態を図面を参照して説明する。
【００１７】
図１は標識灯の基台の側面図、図２は標識灯の基台の断面図、図３は標識灯の断面図、図４は標識灯の灯体の上部灯体を外した状態の平面図、図５は標識灯の平面図、図６は電線接続端子を示し、(a)は端面図、(b)は断面図であり、図７は電線保持具を示し、(a)は正面図、(b)は側面図である。
【００１８】
図３ないし図５において、11は標識灯で、この標識灯11は、例えば、空港の滑走路や誘導路などの路面に埋め込み設置される薄型の埋込形の航空標識灯であり、一方向あるいは複数方向、本実施の形態では対称的な２方向に光線を照射して、滑走路の中心線などを示すようになっている。そして、この標識灯11は、路面の所定位置に埋設される基台12と、この基台12に上方から着脱可能に被着されて取り付けられる灯体（灯器）13とを備えている。
【００１９】
そして、基台12は、例えばアルミニウム合金などの鋳物などにて形成され、円筒状の周面部21およびこの周面部21の底面に底面部22を有し、内側に上面を開口した灯体収納部23が形成されている。周面部21の内周には環状の段部24が突出形成され、この段部24の上側に凹状の灯体嵌合部25が形成され、段部24の下側に凹状の配線収納部26が形成されている。周面部21の外周面には、内周面の段部24より下側位置に電線収納凹部27が全周にわたって環状に形成されている。段部24の上面には、灯体13の取付用の複数のボルト28が立設されている。
【００２０】
また、灯体13は、灯体本体31、この灯体本体31に収納された光源としてのランプ32および光学系などを備えている。
【００２１】
灯体本体31は、例えばアルミニウム合金などの鋳物製の上部灯体41、およびこの上部灯体41の下側を覆う例えばアルミニウム合金などの鋳物製の下部灯体である灯体カバー42を備え、これら上部灯体41および灯体カバー42の周縁部が基台12の灯体嵌合部25に被着嵌合され、その際に上部灯体41および灯体カバー42の周縁部を貫通されて上方に突出する各ボルト28に図示しない各ナットを螺着することにより、基台12に液密に取り付けられている。灯体本体31の上部灯体41と灯体カバー42との間には液密に密閉される部品収納空間43が形成され、この部品収納空間43の内側は区画壁部44によって２個の分室45に区画されている。
【００２２】
上部灯体41の上面には、上面中央が上方に突出する略平面状の上面部48が形成され、この上面部48の周囲から上部灯体41の周縁部に向けて下降傾斜する傾斜面49が形成され、この傾斜面49に基台12の各ボルト28が挿通される複数の取付孔50が形成され、これら各取付孔50の上側にボルト28に螺合される図示しないナットが収納される凹状のナット収納部51が形成されている。
【００２３】
上部灯体41の下面には、各分室45に対応して、互いに反対側に向かうレンズ収納部54、およびこのレンズ収納部54に隣接するランプ収納空間55が形成されている。各レンズ収納部54は、それぞれ下方に向かって部品収納空間43内に突出し、上部灯体41の外側に連通する窓孔56が形成されている。
【００２４】
各レンズ収納部54の窓孔56には、それぞれ光学系を構成する略角柱状をなすブロック状のレンズ57が収納されている。さらに、各レンズ収納部54の内側を覆うようにしてレンズホルダ58が取り付けられている。このレンズホルダ58は、レンズ57の周縁部を押える枠状のレンズ押え部59と、このレンズ押え部59の下端部から折曲されてレンズ収納部54の下側に沿って配置される取付部60とを備えており、取付部60がねじ61でレンズ収納部54の下面に固定されている。
【００２５】
また、灯体カバー42は、周縁に基台12の灯体嵌合部25に嵌合する環状のフランジ部71を有し、このフランジ部71の内周部から基台12の段部24の内側に挿通される円筒状の周面部72が形成されているとともに、周面部72の底面に底面部73が形成されている。フランジ部71には、基台12の各ボルト28が挿通される複数の取付孔74が形成されている。底面部73には、各分室45に対応して、略中央にランプ取付部75が形成されているとともに、上部灯体41のレンズ収納部54とは反対側に位置して底面部73より上方に突出する端子台取付部76が形成され、この端子台取付部76に取付孔77が形成され、端子台取付部76の下側に端子台収納凹部78が形成されている。底面部73には、ランプ32の位置、ねじ61の位置、およびランプ取付部75の位置に対応して、上面に逃げ凹部79を形成して下面側に突出する突出部80がそれぞれ形成され、これら突出部80の下面は曲面に形成されている。
【００２６】
灯体カバー42の底面部73の各ランプ取付部75上には、図示しないランプホルダを介して、上部灯体41の各レンズ57に光学的に対向して、光学系を構成するミラー（反射鏡）81を一体に備えたランプ（反射鏡一体ランプ）32が傾斜状に取り付けられている。このランプ32の口金には、ランプソケット82が接続され、このランプソケット82からは、先端にコネクタ83を有するリード線84が引き出されている。
【００２７】
また、灯体13には受電端子台91が設置され、基台12には給電端子台92が設置され、これら受電端子台91と給電端子台92との接続で灯体13側と基台12側とが電気的に接続される。
【００２８】
受電端子台91は、絶縁性を有する例えば樹脂製の受電端子台本体101、この受電端子台本体101の下面から突設された一対の受電端子102、およびこれら各受電端子102に接続されて受電端子台本体101の上面から突設された一対のランプ給電端子103を有している。受電端子台本体101は灯体カバー42の端子台取付部76の取付孔77に下方から嵌合されてその端子台取付部76の下面に取り付けられ、受電端子102が灯体13を基台12に被着する被着方向すなわち下方に突出され、ランプ給電端子103が取付孔77を通じて灯体13内に突出され、このランプ給電端子103にランプソケット82から引き出されたリード線84のコネクタ83が接続されている。
【００２９】
給電端子台92は、絶縁性を有する例えば樹脂製の給電端子台本体111、およびこの給電端子台本体111内に収納された一対の給電端子112を有し、給電端子台本体111が基台12の底面部22上に配置され、この給電端子台本体111に対して灯体13の被着方向すなわち上方から差し込まれる受電端子台91の各受電端子102が各給電端子112に接続される。
【００３０】
各給電端子台92の各給電端子112に配線115が接続され、これら配線115は、基台12の配線収納部26に沿って配線され、基台12の周面部21の対称位置に取り付けられた電線接続部としての各電線接続端子台121の内端部に接続されている。
【００３１】
各電線接続端子台121は、図１、図２および図６に示すように、絶縁性を有する例えば樹脂製の電線接続端子台本体122、一対の導電性を有する接続端子123を有している。電線接続端子台本体122は、円筒状で、外周面に螺旋状にねじが形成され、基台12の周面部21で電線収納凹部27の位置に貫通形成されるとともに内周面にねじが形成された取付孔124に螺着結合されている。取付孔124は電線接続端子台121が螺着結合されることによって液密に密閉されている。電線接続端子台122の内部には両端面に開口する一対の円筒状の孔部125が並列に形成され、これら各孔部125内に接続端子123が固定されている。各孔部125の開口端には溝部126が形成され、これら溝部126は、仕切壁127で区画された状態で、電線接続端子台本体122の外周部に連通するように形成されている。すなわち、電線接続端子台122の外面には各溝部126に連通する側面開口部128が形成されている。また、接続端子123は、円柱状で、両端にねじ孔129が開口形成されている。
【００３２】
この電線接続端子台121は、溝部126の側面開口部128が基台12の外周面に沿った横方向に向けて取り付けられている。この電線接続端子台121の内端部には給電端子台92からの配線115が接続され、電線接続端子台121の外端部には標識灯21に対して外部から電力を供給する一対の電線（電源線）131が接続される。
【００３３】
電線131は、芯線を被覆体で被覆した被覆電線で、芯線の端部に取り付けられた端子金具132が電線接続端子台121の各溝部126に配置され、この端子金具132を挿通するねじ133を接続端子123のねじ孔129に螺着して締め付けることにより、端子金具132が接続端子129に電気的に接続される。電線131の接続状態では、電線131が基台12の外周面に沿った方向に電線接続端子台121に接続され、言いかえれば電線131が基台12の外周面に沿った方向に電線接続端子台121から引き出されている。
【００３４】
電線接続端子台121の両端には接続された配線115および電線131を引出可能とするキャップ135が取り付けられている。
【００３５】
また、基台12の電線収納凹部27には、電線131を基台12の外周面に沿って保持する少なくとも１個以上の電線保持具141が取り付けられている。この電線保持具141は、板状の取付板部142、この取付板部142の下端から取付板部142との間に電線131を保持可能とする間隙をあけて立ち上げられた保持片部143を有し、取付板部142が取付手段としての両面接着テープ144で貼り付けにより取り付けられている。保持片部143は、ばね性を有し、保持片部143の上端を取付板部142から離反するように開くことにより、取付板部142と保持片部143との間に電線131を容易に収納できる。
【００３６】
そして、標識灯11を設置するには、路面の標識灯11の設置場所に基台12の直径より内径の大きい埋込孔（ボーリング孔）をあけ、また、標識灯11への電力供給のために、滑走路や誘導路の外側に設置されるトランスの設置位置から標識灯11の設置位置つまり埋込孔までの路面に切り込みを入れて溝を形成し、この溝内に電力供給用の電線131を配線し、この電線131を埋込孔に引き込む。埋込孔に引き込んだ電線131を基台12の電線接続端子台121に接続し、基台12の外周面の電線収納凹部27に沿わせて収納するとともに電線保持具141で保持し、基台12を埋込孔内に設置し、それら基台12の外周面と埋込孔の内周面との間隙に樹脂やコンクリートなどの充填材を充填して基台12を路面に埋め込み、この基台12に灯体13を上方から被着して取り付ける。
【００３７】
灯体13を基台12に上方から被着して取り付けるには、灯体13の周縁部の各取付孔50，74を基台12から突出する各ボルト28の位置に合わせることで灯体13と基台12とを互いに位置決めし、灯体13の各取付孔50，74を基台12の各ボルト28に挿通させながら、灯体13の周縁部を基台12の灯体嵌合部25に被着嵌合し、灯体13を貫通して各ボルト収納部51に突出する各ボルト28の先端に各ナットを螺着することにより、基台12に液密に取り付ける。
【００３８】
灯体13を基台12に位置決めして上方から被着する際、灯体13に配置された受電端子台91の受電端子102が基台12に配置された給電端子台92の給電端子112に接触し、灯体13側の受電端子102と基台12側の給電端子112とが電気的に接続する。
【００３９】
また、埋込孔に引き込んだ電線131を基台12の電線接続端子台121に接続し、基台12を埋込孔内に設置する際、埋込孔における電線131の引込位置と基台12の電線接続端子台121の位置が異なる場合には、電線131を基台12の外周面に沿わせて、基台12を埋込孔に設置する。この場合、電線接続端子台121から基台12の外周面に沿った方向に引き出される電線131を、基台12の外周面に形成された電線収納凹部27内に沿わせて収納するとともに、電線収納凹部27に取り付けられた電線保持具141で収納状態に保持する。
【００４０】
このように、基台12の外周面に設けた電線接続端子台121に、基台12の外周面に沿った方向に電線131を接続できるので、電線131を基台12の外周面に沿わせやすくできるとともに、電線接続端子台121の箇所で電線131が基台12の外方へ突出するのを少なくでき、そのため、基台12を埋込孔に設置して隙間に充填材を充填する設置時において、基台12を電線131とともに埋込孔に設置する設置作業を容易にできるとともに、埋込孔の内径を小さくできて充填材の充填量を低減できる。
【００４１】
さらに、基台12の外周面に形成された電線収納凹部27に、この電線収納凹部27の電線接続端子台121に接続される電線131を収納するので、基台12の外周面からの電線131の突出を低減または無くすことができ、そのため、基台12を埋込孔に設置して隙間に充填材を充填する設置時において、基台12を電線131とともに埋込孔に設置する設置作業を容易にできるとともに、電線131で隙間が閉塞されることなく基台12の底部まで充填材を十分に充填できる。
【００４２】
さらに、基台12の外周面の電線接続端子台121に接続される電線131を、電線保持具141により基台12の外周面に沿って保持でき、そのため、基台12を埋込孔に設置する設置時において、電線131が邪魔にならず、基台12を電線131とともに埋込孔に設置する設置作業を容易にできる。
【００４３】
また、電線接続端子台121は、基台12の内周面に沿った方向に配線115を接続できるので、配線115を基台12の内周面に沿わせやすくできるとともに、電線接続端子台121の箇所で配線115が基台12の内方へ突出するのを少なくでき、そのため、灯体13を基台12を被着して取り付ける際、灯体13の底面と基台12との間に配線115を挟み込むのを防止できる。
【００４４】
【発明の効果】
請求項１記載の標識灯によれば、基台の外周面の電線収納凹部に設けた電線接続端子台に、電線収納凹部に沿った方向に電線を接続できるので、電線を電線収納凹部に収納できるとともに、基台の外周面からの電線の突出を低減または無くすことができ、そのため、基台を埋込孔に設置して隙間に充填材を充填する設置時において、基台を電線とともに埋込孔に設置する設置作業を容易にできるとともに、埋込孔の内径を小さくできて充填材の充填量を低減でき、電線で隙間が閉塞されることなく基台の底部まで充填材を十分に充填できる。
【００４５】
請求項２記載の標識灯によれば、請求項１記載の標識灯の効果に加えて、電線収納凹部の電線接続端子台に接続される電線を、電線保持具により電線収納凹部に沿って保持でき、そのため、基台を埋込孔に設置する設置時において、基台を電線とともに埋込孔に設置する設置作業を容易にできる。
【図面の簡単な説明】
【図１】  本発明の一実施の形態を示す標識灯の基台の側面図である。
【図２】  同上標識灯の基台の断面図である。
【図３】  同上標識灯の断面図である。
【図４】  同上標識灯の灯体の上部灯体を外した状態の平面図である。
【図５】  同上標識灯の平面図である。
【図６】  同上電線接続端子を示し、(a)は端面図、(b)は断面図である。
【図７】  同上電線保持具を示し、(a)は正面図、(b)は側面図である。
【符号の説明】
11    標識灯
12    基台
13    灯体
27    電線収納凹部
121   電線接続端子台
131   電線
141   電線保持具
【図１】
0004521843.tif 000002
【図２】
0004521843.tif 000003
【図３】
0004521843.tif 000004
【図４】
0004521843.tif 000005
【図５】
0004521843.tif 000006
【図６】
0004521843.tif 000007
【図７】
0004521843.tif 000008